(57)【特許請求の範囲】
【請求項１】
画像を表示する液晶パネルと、
前記液晶パネルを照らす光源と、
前記液晶パネルの上に配置され、正面側から入射する光を鏡面反射するとともに背面側から入射する光の一部を透過するハーフミラーパネルと、
前記液晶パネルを制御する制御部とを有し、
前記ハーフミラーパネルは、前記液晶パネルの最外周よりも外側にまで枠状に延在し、
前記制御部は、前記画像の背景を黒地にするよう、前記液晶パネルを制御することを特徴とする表示装置。
【請求項２】
前記制御部は、前記液晶パネル上に表示させた表示データのうち、前記画像を示す領域の光を透過させるよう制御することを特徴とする請求項１記載の表示装置。
【請求項３】
前記光源はバックライトであることを特徴とする請求項１又は２記載の表示装置。
【請求項４】
前記制御部は、前記液晶パネルに送る表示データの前記画像以外の領域を黒地にすることを特徴とする請求項１乃至３のうちいずれか１項に記載の表示装置。
【請求項５】
周囲の照度を検出する照度検出部を更に備え、前記制御部は照度に応じて前記光源の輝度の上昇率を制御し、所定の照度以下と以上とで前記上昇率を異ならせることを特徴とする請求項１乃至４のうちいずれか１項に記載の表示装置。
【請求項６】
前記光源の輝度の上昇率は、前記所定の照度以下の場合より前記所定の照度以上の場合に高くすることを特徴とする請求項１乃至５のうちいずれか１項に記載の表示装置。
【請求項７】
前記制御部は、前記画像の種別が文字表示の場合とグラフィック表示の場合とに応じて前記光源の輝度を調整することを特徴とする請求項１乃至６のうちいずれか１項に記載の表示装置。
【請求項８】
前記制御部は、前記文字表示よりも前記グラフィック表示の場合に前記光源の輝度を高くすることを特徴とする請求項７記載の表示装置。
【請求項９】
画像を表示する液晶パネルと、前記液晶パネルを照らす光源と、前記液晶パネルの上に配置され、正面側から入射する光を鏡面反射するとともに背面側から入射する光の一部を透過するハーフミラーパネルと、前記液晶パネルを制御する制御部とを有し、
前記ハーフミラーパネルは、前記液晶パネルの最外周よりも外側にまで枠状に延在し、
前記制御部は、前記画像の背景を黒地にするよう、前記液晶パネルを制御することを特徴とする携帯情報端末。
【発明の詳細な説明】
【技術分野】
【０００１】
本発明は、表示装置、及びこれを備えた携帯情報端末に関し、特にハーフミラーパネルを備えた表示装置及び携帯情報端末に関する。
【背景技術】
【０００２】
最近の携帯電話機及び携帯情報端末の表示装置は、新たな表現を求めることから、ハーフミラーパネルが多用される傾向にある。ハーフミラーパネルとは、表面からの光を高い割合で鏡面反射する一方、背面側からの光も高い割合で通過させるという機能を有するものである。
【０００３】
図９は表示装置とハーフミラーパネルを組み合わせた表示装置の表示部を示す図である。図９に示すように、従来ハーフミラーパネルを透過させた表示手段として７セグメントＬＥＤ（Light Emitting Diode）、ドットマトリクスＬＥＤ及びＥＬ等を使用することが多く、表示画面に文字が浮かび上がる表示になっている。
【０００４】
しかしながら、上述の７セグメントＬＥＤ、ドットマトリクスＬＥＤ及びＥＬ等のデバイスは、簡単な数字、文字等の表示の他は表現上の制約を伴うことが多い。そこで、ＬＥＤ等の替わりに、自由な表現を可能とし、かつ汎用性の高い液晶パネルを使用することが考えられる。なお、従来このハーフミラーパネルを携帯電話機に搭載した特許文献１がある。特許文献１に記載の技術は、バックライト付表示液晶層と散乱型液晶シャッター層と、ハーフミラー層とを積層している。これにより、散乱型液晶シャッター層が光透過モードの時は発信時やメール受信時等の製品の動作状態及び情報等を表示し、散乱型シャッター層が光散乱モードの時はハーフミラーパネルを鏡として使用している。
【特許文献１】特開２００３―１４０１４９号公報
【発明の開示】
【発明が解決しようとする課題】
【０００５】
しかし、図１０に示すように、バックライトを搭載した液晶パネルを用いた表示装置に、ハーフミラーパネルを重ねた場合、表示画面にバックライト透過による明るい部分１１ができる。これは、液晶パネルは自己発光型の表示デバイスではないため、液晶パネルを使用する液晶表示装置はバックライト、フロントライト等の光源が必要であるためである。このため表示画面に窓ができたような表示になってしまい、上述のＥＬ等を用いた場合に可能である文字が浮かび上がるような表現にはならないため、デザイン面においてＥＬ等と比較して劣るという問題点があった。
【課題を解決するための手段】
【０００６】
上述した課題を解決するために、本発明に係る表示装置は、画像を表示する液晶パネルと、前記液晶パネルの上に配置されたハーフミラーパネルと、前記液晶パネルを照らすバックライトと、前記液晶パネル及び前記バックライトを制御する制御部を有し、前記制御部は、前記液晶パネルを黒地表示にさせるものである。
【発明の効果】
【０００７】
本発明に係る表示装置によれば、ハーフミラーと、汎用性が高く、既存の設計資産を活かしつつ豊かな表示が可能な液晶パネルとを組み合わせて使用することによりシームレスなミラー調の中に表示対象を浮かび上がらせることが可能な表示装置及び携帯情報端末を提供することができる。
【発明を実施するための最良の形態】
【０００８】
以下、本実施の形態について、図面を参照しながら詳細に説明する。本実施の形態は、本発明を汎用性の高い液晶表示装置を使用しながら、デザイン性を損なうことなく、ハーフミラーパネルを透過した表示を実現する携帯電話機に適用したものである。
【０００９】
実施の形態１．
図１に本実施の形態にかかる携帯電話機１００の全体図を示す。図１に示すように、携帯電話機１００の背面側にハーフミラーパネル１０が形成される。図２に本実施の形態にかかる携帯電話機１００の表示部の構造を示す。ハーフミラーパネル１０の下に液晶パネル１が配置され、液晶パネル１の下にバックライト３が配置されている。
【００１０】
図３は、本実施の形態にかかる携帯電話機１００を示すブロック図である。図３に示すように携帯電話機１００は、ハーフミラーパネル１０の下に画像を表示するための液晶パネル１と、液晶パネル１に接続され、液晶パネル１を制御する液晶表示制御回路２と、液晶パネル１に併設されたバックライト３と、バックライト３に接続され、バックライト３を制御するバックライト制御回路４と、液晶表示制御回路２とバックライト制御回路４に互いに接続され制御部であるＣＰＵ（Central Processing Unit）５と、ＣＰＵ５に接続されたメモリ７とを有している。また、光センサ、圧力センサ又は指紋認証センサ等の各種センサ８を備えていてもよい。
【００１１】
メモリ７には例えば液晶パネル１に表示する数字、文字及びグラフィック等のデータが記憶されている。また、通信手段を介してダウンロード等によりデータを取得してもよい。制御部であるＣＰＵ５はメモリ７に格納されているデータに基づき表示データを作成し、液晶表示制御回路２及びバックライト制御回路４に送る。
【００１２】
液晶表示制御回路２は、液晶パネル１の表示を制御する。液晶パネル１は液晶表示制御回路２の制御に従って文字、数字又はグラフィック等を表示する。バックライト制御回路４は、例えば通話中はバックライトを消灯させる等、バックライト３の点灯又は消灯を制御する。また、後述するように、バックライト３の輝度を制御するようにしてもよい。そして、バックライト３はバックライト制御回路４の制御に従って、点灯する。
【００１３】
上述したように、表示画面に液晶パネル１を用いた場合、液晶表示装置はバックライト、フロントライト等の光源が必要であるため、例えば光源にバックライトを用いた場合表示画面にバックライト透過による明るい部分ができる。このため表示画面に窓ができたような表示になり、デザイン性に欠けていた。以下、本明細書においては、このような窓ができたような表示を表示窓ということとする。
【００１４】
この表示窓を防止するため、本実施の形態においては、図４に示すように、液晶パネル１を黒地表示にする。すなわち、液晶パネル１において、表示するデータの背景を黒地にするよう、ＣＰＵ５又は液晶表示制御回路２が液晶パネル１を制御する。例えば、メモリ７からＣＰＵ５に表示したい対象のデータを送り、ＣＰＵ５はこれを黒地表示させるような表示データとし液晶表示制御回路２に送る。又は、偏光板の操作等を行って液晶パネル１側で黒地表示させるようにしてもよい。液晶表示制御回路２は当該表示データに基づいて表示対象を液晶パネル１に表示する。これにより、液晶パネル１の背景が黒地に表示され、表示対象のみ黒地に浮かび上がる表示をすることができる。
【００１５】
本実施の形態においては、液晶パネル１の背景を黒地表示にすることにより、液晶パネル１においてバックライト３部分のみが明るく表示され、上述の表示窓が形成されることなく、表示対象のみを黒地に浮かび上がらせることができる。すなわち、液晶パネル１の背景が黒地に表示されることにより、バックライト３透過による上述の表示窓ができてしまうことを防止することができる。このように表示対象のみ黒地に浮かび上がる表示をすることができるため、シームレスな優れたデザイン性を備える。また、液晶パネル１を使用しているため、汎用性が高く、その制御を簡略化させた携帯電話機を提供することができる。このような汎用性が高くシームレスな表示は、デザイン性を重視する近時の携帯電話製品には特に有効である。
【００１６】
実施の形態２．
次に本実施の形態２について説明する。上述の実施の形態１にかかる携帯電話機１００は、液晶パネル１の背景を黒地にすることにより表示画面に窓ができたような表示（表示窓）が形成されることを防止し、表示対象のみが黒地に浮かび上がる表示にするものである。図５は、暗所においてバックライト輝度を上げた場合の携帯電話機１００の表示部を示す図である。図５に示すように、液晶パネル１を用いた携帯電話機１００の周辺の照度によって表示窓ができてしまうこともある。また、光線条件の複雑な屋外等での視認性が確保できないこともある。そこで、本実施の形態においては、周辺照度を検出する照度検出部６を設ける。この照度検出部６により携帯電話機の周辺照度を検出し、その検出結果に基づき周辺照度に応じて液晶パネル１を透過するバックライト３の輝度を調節することで、携帯電話機の一定した視認性及び品質を確保する。
【００１７】
図６は照度検出部６を有する携帯電話機２００を示すブロック図である。図６に示す本実施の形態にかかる携帯電話機２００において、図３に示す実施の形態１にかかる携帯電話機１００と同一構成要素には同一の符号を付しその詳細な説明は省略する。本実施の形態にかかる携帯電話機２００は、図６に示すように、実施の形態１の携帯電話機１００の構成に、さらに照度検出部６を設けたものである。照度検出部６はＣＰＵ５と接続されている。この照度検出部６は、携帯電話機２００の周辺照度を検出する。
【００１８】
本実施の形態にかかる携帯電話機２００の表示方法について説明する。照度検出部６は携帯電話機２００の周辺照度を検出し、検出された照度データをＣＰＵ５に送る。ＣＰＵ５は検出された照度データに基づき適切なバックライト３の輝度を決定する。そして、決定された最適なバックライト３の輝度値をバックライト制御回路４に送る。バックライト制御回路４は、この輝度値になるようバックライト３の輝度を制御することにより、周辺照度に応じた輝度でバックライト３が点灯する。これにより、屋外等の高照度下や屋内等の低照度下においても各照度に応じてバックライト３の輝度をコントロールすることができるため、視認性が確保でき、バックライト透過により表示窓ができてしまうことを防止できる。図７に上述の機能をもったハーフミラーパネル１０と液晶パネル１を用いた携帯電話機２００の表示部を示す。
【００１９】
図８は、周辺照度がＬｘの時バックライト輝度をＣｄに制御する周辺照度とバックライト輝度の関係を表した一例である。バックライトの輝度は例えば図８のように制御することができる。すなわち、周辺照度Ｌ１〜Ｌ２、Ｌ２〜Ｌ３においては、照度に比例して輝度Ｃｄを大きくするよう制御する。ここで、ある一定の輝度Ｌ３以上である場合は、最大輝度Ｃ３とし、また、ある一定の輝度Ｌ１以下である場合は、最低輝度Ｃ１とする。また、本実施の形態においては、周辺照度Ｌ１〜Ｌ２、Ｌ２〜Ｌ３において、周辺照度の上昇と共に輝度を高くするが、その上昇させる度合いを異ならせるものとする。すなわち、周辺照度Ｌ１〜Ｌ２の方が、周辺照度Ｌ２〜Ｌ３よりも緩やかに上昇させるように制御している。例えば、周辺照度Ｌ１〜Ｌ２は、例えば屋内において周辺照度が異なった時に対応し、周辺照度Ｌ２〜Ｌ３は屋外において周辺照度が異なった時に対応する。
【００２０】
一般的には昼間は屋内より屋外の方が照度が高いが、照度が高くなると、屋内と同じバックライト輝度のままでは表示画面が暗く視認性が低下するため、バックライト輝度を上げる必要がある。そこで、本実施の形態においては、屋内と判断できる周辺照度Ｌ１〜Ｌ２の間はその上昇率がＴ１となるようバックライト３の輝度を制御し、周辺照度Ｌ２〜Ｌ３の間は屋外であると判断し、その上昇率がＴ２となるようバックライト３の輝度を制御する。
【００２１】
また、屋内と屋外の照度の違いだけでなく、例えば昼間と夜間の照度の違い、数字及び文字表示とグラフィック表示との違いによってもバックライトの輝度の制御を異ならせることも可能である。昼間の屋外より夜間の屋内の方が照度が低い。よって、時間帯に応じてバックライトの輝度の上昇率を変更するなどしてもよい。また、グラフィック表示は数字及び文字表示と比較して多くの配色を有するため、バックライトの光が透過しにくい場合がある。そのため、文字表示の時よりもバックライト輝度を高くする等、表示データに応じてバックライト輝度を適宜調節することも可能である。すなわち、例えば、文字データを表示する場合より、グラフィックデータを表示する場合の方が、周辺照度に応じた輝度の上昇率を高くすること等により、表示画面の視認性を確保できる。
【００２２】
本実施の形態においては、実施の形態１と同様に、液晶パネル１を黒地表示にすることにより、液晶パネル１全体が明るく表示されることなく、表示対象のみを黒地に浮かび上がらせることができる。これにより、周辺照度に応じてバックライト３の輝度Ｃｄを制御することができるため、ハーフミラーパネル１０越しに、表示画面にバックライト３透過による表示窓が形成されるのを防止することができる。
【００２３】
また、屋外等の周辺照度が明るいため表示画面が見にくい場合はバックライトの輝度を高くすることで改善できるが、バックライトの輝度を高くすることにより、消費電流量が増加する。また、屋内等の低照度下においては、屋外等のバックライト輝度のままだとバックライトが明るすぎるため、液晶パネル１の黒表示部分を透過する光でハーフミラーパネル越しに窓ができてしまうこともある。このため、携帯電話機２００の周辺照度を照度検出部６により検出し、その検出結果により周辺照度に応じて液晶パネル１を透過するバックライト３の輝度を調節する。
【００２４】
すなわち、周辺照度に応じてバックライト輝度を変化させるため、高照度下の視認性及び低照度下での見栄えを両立させることができ、表示品質を一定に保つことができる。更に、バックライト３の輝度を表示に必要な最適な値に制御するため、消費電流も少なく抑えることが可能になる。そのため、汎用性が高く、既存の設計資産を活かしつつ豊かな表示が可能な液晶パネルを使用しながら、シームレスなミラー調の中に表示対象を浮かび上がらせるといった視認性及び見栄えのよい携帯電話機を得ることができる。さらに、新たな表示システムとして商品性を高めることが可能になる。
【００２５】
その他の実施の形態．
上述の実施の形態は、シームレスなミラー調の表示を可能とする携帯電話機について説明したが、携帯電話機に限らず、ハーフミラーパネル１０と液晶パネル１を組み合わせた表示を用いる製品に広く適用可能である。また、液晶表示のための設計資産を有効に活用しながら、デザイン面でのアピールを打ち出す製品には特に有効である。さらに、本実施の形態ではハーフミラーパネル１０と特定したが、スモーク系のパネル越しに液晶表示を行う製品においても、上述の実施の形態と同様にシームレスな表示を得ることができる。
【００２６】
なお、本発明は上述した実施の形態のみに限定されるものではなく、本発明の要旨を逸脱しない範囲において種々の変更が可能であることは勿論である。
【図面の簡単な説明】
【００２７】
【図１】本実施の形態にかかる表示装置を用いた携帯電話機の全体図である。
【図２】本実施の形態にかかる携帯電話機の表示部の構造を示した図である。
【図３】本実施の形態にかかる携帯電話機のブロック図である。
【図４】本実施の形態にかかる液晶パネルを黒地表示にした表示部を示す図である。
【図５】暗所で輝度を上げた場合のハーフミラーパネル透過における表示部を示す図である。
【図６】本実施の形態にかかる照度検出部を有する携帯電話機のブロック図である。
【図７】本実施の形態にかかるハーフミラーパネル透過における表示部を示す図である。
【図８】本実施の形態にかかる周辺照度とバックライト輝度の関係を示した一例の図である。
【図９】ハーフミラーパネル透過におけるＬＥＤ表示を示す図である。
【図１０】従来のハーフミラーパネル透過における液晶パネルを用いた表示部を示す図である。
【符号の説明】
【００２８】
１  液晶パネル
２  液晶表示制御回路
３  バックライト
４  バックライト制御回路
５  ＣＰＵ
６  照度検出部
７  メモリ
８  各種センサ
１０  ハーフミラーパネル
１１  バックライト透過による明るい部分
１００，２００  携帯電話機
Ｌｘ  周辺照度
Ｌ１、Ｌ２、Ｌ３  周辺照度
Ｃｄ  バックライト輝度
Ｃ１、Ｃ２、Ｃ３  バックライト輝度
Ｔ１  周辺照度がＬ１からＬ２に変化する場合の傾き
Ｔ２  周辺照度がＬ２からＬ３に変化する場合の傾き
【図１】
0005307321.tif 000002
【図２】
0005307321.tif 000003
【図３】
0005307321.tif 000004
【図４】
0005307321.tif 000005
【図５】
0005307321.tif 000006
【図６】
0005307321.tif 000007
【図７】
0005307321.tif 000008
【図８】
0005307321.tif 000009
【図９】
0005307321.tif 000010
【図１０】
0005307321.tif 000011